(57)【要約】【課題】アイデアを説明するための文書を作成する負担を軽減する。【解決手段】利用者のアイデアに関するアイデア文章を取得するアイデア文章取得機能１２と、アイデア文章から名詞を抽出する名詞抽出機能１３と、所定の埋め込み位置を含む埋め込み用質問文章に対して名詞を埋め込むことにより、質問文章を作成する質問文章作成機能１４と、質問文章を利用者に提示して利用者から第１回答情報を取得し、カテゴリ分類基準と取得した第１回答情報とからアイデアが属するカテゴリを選定するカテゴリ選定機能１５と、技術的特徴部分質問文章を利用者に提示して利用者から技術的特徴部分を表す第２回答情報を取得し、雛形文章に第２回答情報を埋め込むことによりアイデア説明文章を作成するアイデア説明文章作成機能１６とを具備する。【選択図】図１
2009075894.tif 000002
【特許請求の範囲】
【請求項１】
利用者が所有するアイデアに関して前記利用者が作成する説明文章であるアイデア文章を取得するアイデア文章取得機能と、
前記アイデア文章取得機能により取得した前記アイデア文章を形態素解析して前記アイデア文章から名詞を抽出する名詞抽出機能と、
所定の埋め込み用質問文章に対して前記名詞抽出機能によって抽出した前記名詞を所定の埋め込み位置に埋め込むことにより、回答の選択肢が予め設定された質問文章を作成する質問文章作成機能と、
前記質問文章作成機能により作成した前記質問文章を前記利用者に提示すると共に前記利用者からの前記質問文章に対する第１回答情報を取得し、前記選択肢又は複数の選択肢の選択パターンに準じて予め設定されて前記アイデアが属するカテゴリとして物のカテゴリ、及び方法のカテゴリの中から少なくとも何れか１つのカテゴリを特定するための基準であるカテゴリ分類基準に基づいて、取得した前記第１回答情報の選択肢又は選択パターンから前記アイデアが属する特定のカテゴリを選定するカテゴリ選定機能と、
前記カテゴリ分類基準のカテゴリ毎に予め設定されて前記アイデアの技術的特徴部分を問う質問文である所定の技術的特徴部分質問文章群から、前記カテゴリ選定機能により選定したカテゴリに対応する技術的特徴部分質問文章を抽出して前記利用者に提示すると共に、前記技術的特徴部分質問文章に対する回答として前記利用者が前記アイデアの技術的特徴部分を特定した情報である第２回答情報を取得し、前記アイデアが属するカテゴリ毎に予め設定された雛形文章に対して前記第２回答情報を所定の埋め込み位置に埋め込むことにより前記利用者のアイデアを説明するアイデア説明文章を作成するアイデア説明文章作成機能と
をコンピュータに実現させることを特徴とするアイデア説明文章作成プログラム。
【請求項２】
前記技術的特徴部分質問文章が、前記アイデアを構成する構成要素の名前と前記構成要素がどのような技術的特徴を持つのかを質問する文章からなり、前記アイデア説明文章作成機能が、前記第２回答情報として取得した前記構成要素の名前と前記構成要素の技術的特徴を説明した説明文とを結合してアイデア構成要素説明情報を作成すると共に前記アイデア構成要素説明情報を前記雛形文章に埋め込んでアイデア説明文章を作成することを特徴とする請求項１記載のアイデア説明文章作成プログラム。
【請求項３】
前記アイデア説明文章作成機能が、前記技術的特徴部分質問文章として前記アイデアの構成要素の中で工夫した対象となる構成要素がどの構成要素なのかを質問する文章と、前記工夫した構成要素の工夫した部分に関してどのように工夫したのかを質問する文章とを前記利用者に提示し、前記第２回答情報として取得した前記利用者からの前記工夫した構成要素の名前と前記工夫した部分を説明した説明文とを結合してアイデア工夫構成要素説明情報を作成し、前記雛形文章に前記アイデア工夫構成要素説明情報を埋め込むことによりアイデア説明文章を作成することを特徴とする請求項２記載のアイデア説明文章作成プログラム。
【請求項４】
前記アイデア説明文章作成機能が、前記構成要素の技術的特徴を説明した説明文の後に前記構成要素の名前を結合して前記アイデア構成要素説明情報を作成し、前記アイデア構成要素説明情報の後に前記雛形文章の一部を構成する「からなる」、「からなり」、「から構成される」、「から構成され」、「から構成された」、「から構成されて」、「を具備する」、「を具備し」、「を具備した」、「を具備して」、「を有する」、「を有し」、「を有した」、「を有して」、「を備える」、「を備え」、「を備えた」、「を備えて」の何れか１つで示される第１結合語句を結合することによりアイデア説明文章を作成することを特徴とする請求項３記載のアイデア説明文章作成プログラム。
【請求項５】
前記アイデア説明文章作成機能が、前記技術的特徴部分質問文章として前記アイデアの構成要素の数を質問する文章を前記利用者に提示し、前記利用者から前記アイデアの構成要素の数が２つ以上という回答を取得した場合に、前記第２回答情報として取得する前記アイデアの構成要素毎に前記アイデア構成要素説明情報を作成すると共に、前記アイデア構成要素説明情報の後に前記雛形文章の一部を構成する「と」で示される第２結合語句を結合すると共に、最後の前記アイデア構成要素説明情報に結合した前記第２結合語句の後に前記第１結合語句を結合することによりアイデア説明文章を作成することを特徴とする請求項４記載のアイデア説明文章作成プログラム。
【請求項６】
前記アイデアの構成要素の中から前記アイデアの中心又は土台となる主体構成要素を前記利用者によって選定可能とする構成要素選定機能と、前記構成要素選定機能により選定した主体構成要素と他の構成要素とを構成要素結合線で結んで構成要素関係図を作成する構成要素関係図作成機能とをさらにコンピュータに実現させることを特徴とする請求項５記載のアイデア説明文章作成プログラム。
【請求項７】
前記アイデア説明文章作成機能が、前記構成要素関係図の前記主体構成要素に対する他の構成要素の結合状態に基づいて前記アイデア構成要素説明情報の結合順番を並び替えて前記主体構成要素に対応するアイデア構成要素説明情報に、他の構成要素に対応するアイデア構成要素説明情報を結合することによりアイデア説明文章を作成することを特徴とする請求項６記載のアイデア説明文章作成プログラム。
【請求項８】
利用者のアイデアを説明するアイデア説明文章を作成するアイデア説明文章作成サーバと、前記アイデア説明文章作成サーバにネットワークを経由して利用者が接続自在である外部端末とを有し、
前記外部端末は、利用者が所有するアイデアに関して前記利用者が作成する説明文章であるアイデア文章を前記アイデア説明文章作成サーバに送信する送信手段と、前記アイデア説明文章作成サーバからの情報を受信する受信手段とを備え、
前記アイデア説明文章作成サーバは、前記外部端末からの前記アイデア文章を取得するアイデア文章取得手段と、
前記アイデア文章を形態素解析して前記アイデア文章から名詞を抽出する名詞抽出手段と、
所定の埋め込み用質問文章に対して前記名詞抽出手段によって抽出した前記名詞を所定の埋め込み位置に埋め込むことにより回答の選択肢が予め設定された質問文章を作成する質問文章作成手段と、
前記質問文章作成手段により作成した前記質問文章を前記外部端末に送信すると共に前記外部端末から前記送信手段により送信される前記質問文章に対する第１回答情報を受信し、前記選択肢又は複数の選択肢の選択パターンに準じて予め設定されて前記アイデアが属するカテゴリとして物のカテゴリ、及び方法のカテゴリの中から少なくとも何れか１つのカテゴリを特定するための基準であるカテゴリ分類基準に基づいて、受信した前記第１回答情報の選択肢又は複数の選択パターンから前記アイデアが属する特定のカテゴリを選定するカテゴリ選定手段と、
前記カテゴリ分類基準のカテゴリ毎に予め設定されて前記アイデアの技術的特徴部分を問う質問文である所定の技術的特徴部分質問文章群から、前記カテゴリ選定機能により選定したカテゴリに対応する技術的特徴部分質問文章を抽出して前記外部端末に送信すると共に、前記外部端末から前記送信手段により送信される前記技術的特徴部分質問文章に対する回答として前記利用者からの前記アイデアの技術的特徴部分を特定した情報である第２回答情報を受信し、前記アイデアが属するカテゴリ毎に予め設定された雛形文章に対して前記第２回答情報を所定の埋め込み位置に埋め込むことにより前記利用者のアイデアを説明するアイデア説明文章を作成するアイデア説明文章作成手段とを備えていることを特徴とするアイデア説明文章作成システム。
【発明の詳細な説明】
【技術分野】
【０００１】
本発明はアイデア説明文章作成プログラム及びアイデア説明文章作成システムに関し、特に、抽象的なアイデアを具体的な文書で表現する場合に適用して有用なものである。
【背景技術】
【０００２】
近年、技術開発の現場では、より競争力のある製品の開発やより効率のよい製造方法の研究等、生産性を向上するために様々な試行錯誤が行われている。この製品開発等の過程においては、技術者同士の情報共有や第三者に向けての説明のため等の目的に応じて、様々な書類が作成される。
【０００３】
これらの書類は、技術者が中心となって作成されるものであるが、書類によっては膨大な分量となり、技術者の開発に従事する時間を圧迫する事態を生じている。また、技術者が製品に係る特許出願の明細書を作成する場合や、この明細書の作成を専門家に依頼する際の資料となる発明記述書を作成する場合においては、一般的な技術者はこれらの書類の作成に不慣れであるため、技術者に多大な負担を掛けている。
【０００４】
このような技術者の書類作成作業に掛かる負担を軽減するために、特許出願に係る特許請求の範囲に記載する請求項や明細書の作成を支援する装置がある（特許文献１参照）。かかる装置により、請求項等の記載に不慣れな技術者は、所定の入力方法に従って発明の構成要件等を入力するだけで、請求項等を作成することができる。
【０００５】
しかしながら、かかる装置は入力された文を、いわば形式的に結合することで請求項等の作成を支援するにとどまっているため、利用者は入力すべき事項を適切に考慮して文を入力する必要がある。すなわち、どのような事項を記載すべきかを十分に把握していない技術者に対して円滑な入力支援が行われるまでには至っていない。
【０００６】
【特許文献１】特開２００３−３１６７７５
【発明の開示】
【発明が解決しようとする課題】
【０００７】
本発明は、かかる事情に鑑み、アイデアを説明するための文書を作成する負担を軽減するアイデア説明文章作成プログラム及びアイデア説明文章作成システムを提供することを目的とする。
【課題を解決するための手段】
【０００８】
上記目的を達成するための本発明の第１の態様は、
利用者が所有するアイデアに関して前記利用者が作成する説明文章であるアイデア文章を取得するアイデア文章取得機能と、
前記アイデア文章取得機能により取得した前記アイデア文章を形態素解析して前記アイデア文章から名詞を抽出する名詞抽出機能と、
所定の埋め込み用質問文章に対して前記名詞抽出機能によって抽出した前記名詞を所定の埋め込み位置に埋め込むことにより、回答の選択肢が予め設定された質問文章を作成する質問文章作成機能と、
前記質問文章作成機能により作成した前記質問文章を前記利用者に提示すると共に前記利用者からの前記質問文章に対する第１回答情報を取得し、前記選択肢又は複数の選択肢の選択パターンに準じて予め設定されて前記アイデアが属するカテゴリとして物のカテゴリ、及び方法のカテゴリの中から少なくとも何れか１つのカテゴリを特定するための基準であるカテゴリ分類基準に基づいて、取得した前記第１回答情報の選択肢又は選択パターンから前記アイデアが属する特定のカテゴリを選定するカテゴリ選定機能と、
前記カテゴリ分類基準のカテゴリ毎に予め設定されて前記アイデアの技術的特徴部分を問う質問文である所定の技術的特徴部分質問文章群から、前記カテゴリ選定機能により選定したカテゴリに対応する技術的特徴部分質問文章を抽出して前記利用者に提示すると共に、前記技術的特徴部分質問文章に対する回答として前記利用者が前記アイデアの技術的特徴部分を特定した情報である第２回答情報を取得し、前記アイデアが属するカテゴリ毎に予め設定された雛形文章に対して前記第２回答情報を所定の埋め込み位置に埋め込むことにより前記利用者のアイデアを説明するアイデア説明文章を作成するアイデア説明文章作成機能と
をコンピュータに実現させることを特徴とするアイデア説明文章作成プログラムにある。
【０００９】
かかる第１の態様では、利用者はアイデアの特徴的な部分を問うための一連の質問に順次回答することで、自動的に作成されるアイデア説明文章を得ることができる。このため、利用者はどのような事項を記載すべきかに煩わされることを回避でき、文書の作成に掛かる負担を軽減することができる。
【００１０】
本発明の第２の態様は、前記技術的特徴部分質問文章が、前記アイデアを構成する構成要素の名前と前記構成要素がどのような技術的特徴を持つのかを質問する文章からなり、前記アイデア説明文章作成機能が、前記第２回答情報として取得した前記構成要素の名前と前記構成要素の技術的特徴を説明した説明文とを結合してアイデア構成要素説明情報を作成すると共に前記アイデア構成要素説明情報を前記雛形文章に埋め込んでアイデア説明文章を作成することを特徴とする第１の態様に記載のアイデア説明文章作成プログラムにある。
【００１１】
かかる第２の態様では、アイデアを構成する構成要素の名前、及びその技術的特徴の説明文を第２回答情報として利用者から取得し、これらを結合したアイデア構成要素説明情報を雛形文書に埋め込みアイデア説明文章を作成する。これにより、アイデア説明文章は利用者のアイデアがどのような構成要素から構成されているのかを明確に表現することができる。このアイデア説明文章は、特に従来にない新規なアイデアの表現に適している。
【００１２】
本発明の第３の態様は、前記アイデア説明文章作成機能が、前記技術的特徴部分質問文章として前記アイデアの構成要素の中で工夫した対象となる構成要素がどの構成要素なのかを質問する文章と、前記工夫した構成要素の工夫した部分に関してどのように工夫したのかを質問する文章とを前記利用者に提示し、前記第２回答情報として取得した前記利用者からの前記工夫した構成要素の名前と前記工夫した部分を説明した説明文とを結合してアイデア工夫構成要素説明情報を作成し、前記雛形文章に前記アイデア工夫構成要素説明情報を埋め込むことによりアイデア説明文章を作成することを特徴とする第２の態様に記載のアイデア説明文章作成プログラムにある。
【００１３】
かかる第３の態様では、アイデアの構成要素のうち工夫した対象である構成要素とその構成要素に関してどのように工夫したかを説明する文章とを第２回答情報として利用者から取得し、これらを結合したアイデア工夫構成要素説明情報を雛形文書に埋め込みアイデア説明文章を作成する。これにより、アイデア説明文章は利用者のアイデアがどのような構成要素から構成されているのかを表現すると共に、工夫した構成要素を明確に表現することができる。このアイデア説明文章は、特に従来にあったアイデアを改良したアイデアの表現に適している。
【００１４】
本発明の第４の態様は、前記アイデア説明文章作成機能が、前記構成要素の技術的特徴を説明した説明文の後に前記構成要素の名前を結合して前記アイデア構成要素説明情報を作成し、前記アイデア構成要素説明情報の後に前記雛形文章の一部を構成する「からなる」、「からなり」、「から構成される」、「から構成され」、「から構成された」、「から構成されて」、「を具備する」、「を具備し」、「を具備した」、「を具備して」、「を有する」、「を有し」、「を有した」、「を有して」、「を備える」、「を備え」、「を備えた」、「を備えて」の何れか１つで示される第１結合語句を結合することによりアイデア説明文章を作成することを特徴とする第３の態様に記載のアイデア説明文章作成プログラムにある。
【００１５】
かかる第４の態様では、アイデアを構成する構成要素の技術的特徴の説明文、構成要素の名前の順に結合してアイデア構成要素説明情報を作成し、更にアイデア構成要素説明情報を雛形文章の一部を構成する第１結合語句に結合させてアイデア説明文章を作成する。
【００１６】
本発明の第５の態様は、前記アイデア説明文章作成機能が、前記技術的特徴部分質問文章として前記アイデアの構成要素の数を質問する文章を前記利用者に提示し、前記利用者から前記アイデアの構成要素の数が２つ以上という回答を取得した場合に、前記第２回答情報として取得する前記アイデアの構成要素毎に前記アイデア構成要素説明情報を作成すると共に、前記アイデア構成要素説明情報の後に前記雛形文章の一部を構成する「と」で示される第２結合語句を結合すると共に、最後の前記アイデア構成要素説明情報に結合した前記第２結合語句の後に前記第１結合語句を結合することによりアイデア説明文章を作成することを特徴とする第４の態様に記載のアイデア説明文章作成プログラムにある。
【００１７】
かかる第５の態様では、アイデアの構成要素が２つ以上ある場合に、各構成要素につきアイデア構成要素説明情報を第２結合語句と結合させた上で、第１結合語句を更に結合させ、アイデア説明文章を作成する。これにより、アイデア説明文章は複数の構成要素を含むアイデアを含むアイデアを表現することができる。
【００１８】
本発明の第６の態様は、前記アイデアの構成要素の中から前記アイデアの中心又は土台となる主体構成要素を前記利用者によって選定可能とする構成要素選定機能と、前記構成要素選定機能により選定した主体構成要素と他の構成要素とを構成要素結合線で結んで構成要素関係図を作成する構成要素関係図作成機能とをさらにコンピュータに実現させることを特徴とする第５の態様に記載のアイデア説明文章作成プログラムにある。
【００１９】
かかる第６の態様では、構成要素選定機能によりアイデアの主体構成要素を選定し、構成要素関係図作成機能により主体構成要素と他の構成要素とから構成要素関係図を作成する。この構成要素関係図は各構成要素間のつながりを表すものであり、これにより利用者は各アイデア構成要素の関連を容易に把握することが可能となる。
【００２０】
本発明の第７の態様は、前記アイデア説明文章作成機能が、前記構成要素関係図の前記主体構成要素に対する他の構成要素の結合状態に基づいて前記アイデア構成要素説明情報の結合順番を並び替えて前記主体構成要素に対応するアイデア構成要素説明情報に、他の構成要素に対応するアイデア構成要素説明情報を結合することによりアイデア説明文章を作成することを特徴とする第６の態様に記載のアイデア説明文章作成プログラムにある。
【００２１】
かかる第７の態様では、構成関係図の主体構成要素と他の構成要素との結合状態に基づいて、複数のアイデア構成要素説明情報の結合順番を並び替えて、雛形文章に埋め込みアイデア説明文章を作成する。この結果、アイデア説明文章は、最初に主体構成要素に対応するアイデア構成要素説明情報があり、順次他の構成要素に対応するアイデア構成要素説明情報が続くような構成となる。このアイデア説明文章を読んだ利用者は、最初に主体構成要素を読むことによりアイデアの全体像を把握し、順次他の構成要素を読むにつれてアイデアの細部を理解することができる。
【００２２】
本発明の第８の態様は、
利用者のアイデアを説明するアイデア説明文章を作成するアイデア説明文章作成サーバと、前記アイデア説明文章作成サーバにネットワークを経由して利用者が接続自在である外部端末とを有し、
前記外部端末は、利用者が所有するアイデアに関して前記利用者が作成する説明文章であるアイデア文章を前記アイデア説明文章作成サーバに送信する送信手段と、前記アイデア説明文章作成サーバからの情報を受信する受信手段とを備え、
前記アイデア説明文章作成サーバは、前記外部端末からの前記アイデア文章を取得するアイデア文章取得手段と、
前記アイデア文章を形態素解析して前記アイデア文章から名詞を抽出する名詞抽出手段と、
所定の埋め込み用質問文章に対して前記名詞抽出手段によって抽出した前記名詞を所定の埋め込み位置に埋め込むことにより回答の選択肢が予め設定された質問文章を作成する質問文章作成手段と、
前記質問文章作成手段により作成した前記質問文章を前記外部端末に送信すると共に前記外部端末から前記送信手段により送信される前記質問文章に対する第１回答情報を受信し、前記選択肢又は複数の選択肢の選択パターンに準じて予め設定されて前記アイデアが属するカテゴリとして物のカテゴリ、及び方法のカテゴリの中から少なくとも何れか１つのカテゴリを特定するための基準であるカテゴリ分類基準に基づいて、受信した前記第１回答情報の選択肢又は複数の選択パターンから前記アイデアが属する特定のカテゴリを選定するカテゴリ選定手段と、
前記カテゴリ分類基準のカテゴリ毎に予め設定されて前記アイデアの技術的特徴部分を問う質問文である所定の技術的特徴部分質問文章群から、前記カテゴリ選定機能により選定したカテゴリに対応する技術的特徴部分質問文章を抽出して前記外部端末に送信すると共に、前記外部端末から前記送信手段により送信される前記技術的特徴部分質問文章に対する回答として前記利用者からの前記アイデアの技術的特徴部分を特定した情報である第２回答情報を受信し、前記アイデアが属するカテゴリ毎に予め設定された雛形文章に対して前記第２回答情報を所定の埋め込み位置に埋め込むことにより前記利用者のアイデアを説明するアイデア説明文章を作成するアイデア説明文章作成手段とを備えていることを特徴とするアイデア説明文章作成システムにある。
【００２３】
かかる第８の態様では、利用者は、アイデア説明文章作成サーバから外部端末に提示されるアイデアの特徴的な部分を問うための一連の質問に順次回答することで、アイデア説明文章作成サーバからアイデア説明文章を得ることができる。このため、利用者はどのような事項を記載すべきかに煩わされることを回避でき、文書の作成に掛かる負担を軽減することができる。
【発明の効果】
【００２４】
本発明によれば、利用者はアイデアの技術的な特徴部分を問うための一連の質問に順次回答することで、アイデアを説明する文章であるアイデア説明文章を得ることができる。利用者は提示された質問に答えることだけに専念すればよいため、例えばアイデア説明文章を論理的に構成すること、アイデアの本質を特定するためにどのようなことを記述するかについて検討すること等に煩わされることを回避して、アイデア説明文章の作成に掛かる負担を軽減することができる。
【００２５】
また利用者は技術的特徴部分質問文章に導かれて各種情報を入力することになるため、直接的にアイデアの特徴を記述する場合と比較して唐突感を受けることがなく、円滑に回答することができる。
【発明を実施するための最良の形態】
【００２６】
以下、本発明を実施するための最良の形態について説明する。なお、本実施形態の説明は例示であり、本発明は以下の説明に限定されない。
【００２７】
〈実施形態１〉
図１は、実施形態１に係るアイデア説明文章作成プログラムをインストールしたコンピュータを備えるアイデア説明文章作成システムの機能ブロック図である。図１に示すようにアイデア説明文章作成システム１は、利用者のアイデアを説明するアイデア説明文章を作成するアイデア説明文章作成プログラムがインストールされたコンピュータからなるアイデア説明文章作成サーバ１０と、このアイデア説明文章作成サーバ１０にネットワーク２を経由して通信可能に接続された外部端末２０とで構成されている。
【００２８】
ここで、アイデア説明文章作成サーバ１０にインストールされたアイデア説明文章作成プログラムについて説明する。本実施形態に係るアイデア説明文章作成プログラムは、利用者から得た後述するアイデア文章に基づいて質問文を作成し、質問に対する第１回答情報によってアイデアの属するカテゴリを分類し、このカテゴリに対応すると共にアイデアの技術的特徴部分を質問する質問文を利用者に提示し、この質問文への応答により得た第２回答情報をアイデア構成要素とし、アイデア構成要素を用いて文章化することによりアイデア説明文章を作成する。
【００２９】
本実施形態のアイデア説明文章作成プログラムは、利用者のアイデアの説明文であるアイデア文章を取得するアイデア文章取得機能１２と、取得したアイデア文章から名詞を抽出する名詞抽出機能１３と、抽出した名詞から質問文章を作成する質問文章作成機能と、作成した質問文を利用者に提示し、これに対する回答からアイデアの属するカテゴリを選定するカテゴリ選定機能１５と、カテゴリに対応した技術的特徴部分質問文章を利用者に提示して、これに対する回答からアイデアの技術的特徴を説明するアイデア説明文章を作成するアイデア説明文章作成機能１６とをアイデア説明文章作成サーバ１０に実現させるものである。
【００３０】
アイデア文章取得機能１２は、利用者が作成するアイデア文章を取得する機能である。ここでアイデア文章とは、利用者が所有するアイデアに関して利用者自身が作成する説明文章である。このアイデア文章は、アイデア説明文章作成サーバ１０及び外部端末２０で取り扱い可能な電子データとして取得される。
【００３１】
アイデア文章は、利用者のアイデアをより詳細に特定するための質問文章や技術的特徴部分質問文章を作成するための基礎となる情報として用いられる。このアイデア文章を用いることにより、後述するように、利用者のアイデアに適した質問文章等を作成することができる。
【００３２】
なお、アイデア文章として記述される分量に特に制限はないが、可及的に長い一文となるようにアイデア文章を記述することが望ましい。なぜならば、利用者のアイデア文章の作成に掛かる負担を軽減するため記述量は短いほうがよいこと、及びより適切な質問文章を作成するため記述量は一定以上あるほうがよいこと、の２つの観点の衡平を考慮したからである。また、内容に関しては、特に詳細にアイデアを記述する必要はなく、アイデアの名称とこれを形容する語句からなる簡単な一文でよい。
【００３３】
名詞抽出機能１３は、アイデア文章を形態素解析することにより、アイデア文章に含まれる名詞を抽出する機能である。ここで形態素解析とは、自然言語で書かれた文を形態素（言語で意味を持つ最小単位）に分割し、この形態素の品詞を決定する処理をいう。この処理の結果、アイデア文章に含まれる種々の形態素の品詞が決定される。名詞抽出機能１３では、この形態素のうち名詞である形態素（以下、単に「名詞」と称する。）を抽出する。この抽出された名詞は後述する質問文章作成機能１４の入力データとして用いられる。
【００３４】
質問文章作成機能１４は、名詞抽出機能１３により抽出された名詞と、予め定められた埋め込み用質問文章とから、回答の選択肢が予め設定された質問文章を作成する機能である。ここで埋め込み用質問文章とは、抽出した名詞が埋め込まれる埋め込み位置が設けられた文章であり、この埋め込み位置に名詞が埋め込まれることにより質問文章となる。
【００３５】
詳言すれば、この埋め込み用質問文章及び名詞はアイデア説明文章作成サーバ１０で扱うことができる文字コードの配列として表現されており、また埋め込み位置はこれを表す所定の文字コードで表現されている。また、埋め込み位置に名詞を埋め込むとは、埋め込み位置を表す所定の文字コードを名詞を表す文字コードの配列に置き換える処理を言う。なお、ここで文字コードとは、文字や記号をコンピュータで扱うために、文字や記号一つ一つに割当てられた固有の数字をいう。例えばＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）やＥＵＣ（Ｅｘｔｅｎｄｅｄ  ＵＮＩＸ（登録商標）  Ｃｏｄｅ）、ＪＩＳコードなどである。
【００３６】
更に、作成される質問文章にはこの質問文章に対する回答の選択肢が予め設定されている。例えば「（Ａ）は〜ですか？」（「Ａ」は埋め込み位置に埋め込まれた名詞）という質問文章に対しては、「はい」又は「いいえ」の二者択一の選択肢が設定されている。
【００３７】
このように予め設定された埋め込み用質問文章に利用者のアイデア文章に基づいた名詞を埋め込み質問文章を動的に作成する。この結果作成された質問文章は利用者の想定するアイデアのキーワードを含む質問文章となるため、利用者は質問文章の意味や内容をより明確に把握することが可能となる。
【００３８】
カテゴリ選定機能１５は、利用者に提示した質問文章に対する回答である第１回答情報を取得し、カテゴリ分類基準に基づいてこの第１回答情報からアイデアが属する特定のカテゴリを選定する機能である。
【００３９】
ここで、第１回答情報とは、選択肢が予め設定された質問文章を利用者に提示した際に、利用者により回答として選択された選択肢又は複数の質問文章に対する複数の選択肢の組合せ（選択パターン）をいう。またカテゴリ分類基準とは、第１回答情報として回答された選択肢又は複数の選択肢の選択パターンに準じて、アイデアの属するカテゴリを特定するための基準となる情報である。より具体的には、第１回答情報とカテゴリとの対応関係を定義した情報である。
【００４０】
このカテゴリ分類基準は、質問文章に対して回答の選択肢を予め設定する際に、この選択肢に対応して作成する。例えば二者択一の質問文章を作成する際に、１つの選択肢を回答した場合は「物」、別の１つの選択肢を回答した場合は「方法」というカテゴリに選定されるよう、カテゴリ分類基準を作成する。
【００４１】
また、複数の選択肢の選択パターンに基づいてカテゴリを選定するようにしてもよい。図２は、複数の選択肢の選択パターンに基づいてカテゴリを選定する場合の質問文章と選択パターンを例示する図である。図示するように、最初に利用者に “あなたの考えたアイデアは、「Ａ」そのものについてですか？”という質問文章６０ａが提示される。この質問文章６０ａに対する第１回答情報として「Ｙｅｓ」又は「Ｎｏ」の選択肢を選択した場合には、続いて質問文章６０ｂ又は質問文章６０ｃに示される質問文章が利用者に提示される。
【００４２】
一方、カテゴリ分類基準は、利用者が質問文章６０ａに「Ｙｅｓ」且つ質問文章６０ｂに「Ｙｅｓ」という複数の選択肢からなる選択パターンを第１回答情報として回答した場合には、利用者のアイデアは「装置」に分類されると選定するよう作成する。同様に、カテゴリ分類基準は質問文章６０ａに「Ｎｏ」且つ質問文章６０ｃに「Ｙｅｓ」という選択パターンに対してアイデアを「製造方法」に分類し、質問文章６０ａに「Ｎｏ」且つ質問文章６０ｃに「Ｎｏ」という選択パターンに対してアイデアを「単純方法」に分類する。
【００４３】
このように質問文章に対する複数の選択肢からなる選択パターンからカテゴリを特定することで、カテゴリを細分化して特定することができる。
【００４４】
また、名詞抽出機能１３により抽出した名詞が複数ある場合、名詞毎にカテゴリの選定を行う。この場合、利用者のアイデアが各名詞に対応する複数のカテゴリに属するものとして、後述するアイデア説明文章作成機能１６での処理が行われる。この結果、利用者のアイデアを多面的に捉えることができる。
【００４５】
また、或る名詞を埋め込み用質問文章に埋め込んで質問文章を作成し、これに対する第１回答情報を利用者から取得した際に、どのカテゴリにも属さないという対応関係を定義してもよい。この場合、当該名詞に関してはアイデア説明文章作成機能１６での処理の対象としない。又は、利用者の錯誤なども考えられるため、再考を促して再度質問文章を提示してもよい。
【００４６】
以上に説明したように、このカテゴリ選定機能１５により、利用者のアイデアを「物」や「方法」などのカテゴリに分類することができる。このようにアイデアのカテゴリを特定することで、以降の処理において、このアイデアのカテゴリに特化した質問を行うことができ、より詳細にアイデアを特定することが可能となる。
【００４７】
アイデア説明文章作成機能１６は、カテゴリ分類基準のカテゴリ毎に予め設定された技術的特徴部分質問文章群から、カテゴリ選定機能１５により選定されたカテゴリに対応する技術的特徴部分質問文章を抽出し、利用者に提示する。更に、アイデア説明文章作成機能１６は、利用者に提示した技術的特徴部分質問文章に対する回答である第２回答情報を取得して、第２回答情報を雛形文章の所定の埋め込み位置に埋め込むことでアイデア説明文章を作成する。
【００４８】
また、カテゴリ選定機能１５により選定されたカテゴリが複数ある場合、これらのカテゴリ毎に技術的特徴部分質問文章を利用者に提示し、第２回答情報を取得してアイデア説明文章を作成する。これにより、利用者のアイデアを例えば「物」、「方法」として多面的に表現することができる。
【００４９】
ここで技術的特徴部分質問文章とは、利用者のアイデアの技術的特徴部分を質問する文章であると共に、カテゴリ分類基準のカテゴリ毎に設定されて、このカテゴリに適した表現でアイデアの技術的特徴を質問する文章となっている。技術的特徴部分質問文章群とは、技術的特徴部分質問文章の集合である。
【００５０】
第２回答情報とは、提示された技術的特徴部分質問文章に対して利用者が作成したアイデアの技術的特徴部分を表現する文章である。
【００５１】
また、雛形文章とは、第２回答情報が埋め込まれる埋め込み位置が設けられた文章であり、この埋め込み位置に第２回答情報が埋め込まれることによりアイデア説明文章となる。アイデア説明文章は、主に埋め込まれた第２回答情報によりアイデアの技術的特徴を明確に表現する文章である。
【００５２】
詳言すれば、埋め込み用質問文章と同様に、雛形文章及び第２回答情報はアイデア説明文章作成サーバ１０で扱うことができる文字コードの配列として表現されており、また埋め込み位置はこれを表す所定の文字コードで表現されている。この埋め込み位置に埋め込むとは、埋め込み位置の所定の文字コードを第２回答情報を表す文字コードの配列で置き換えることをいう。
【００５３】
上述したように、アイデア説明文章作成機能１６により、利用者のアイデアのカテゴリに適した技術的特徴部分質問文章を利用者に提示し、これに対する回答として利用者から取得した第２回答情報に基づいて雛形文章からアイデア説明文章が作成される。
【００５４】
この結果、カテゴリに適した技術的特徴部分質問文章を提示することにより、より適切にアイデアの技術的特徴を表現する第２回答情報を得ることが可能となり、利用者のアイデアの技術的特徴が明確に表現されたアイデア説明文章を作成することができる。
【００５５】
また、利用者は例えばアイデア説明文章を論理的に構成すること、アイデアの本質を特定するためにどのようなことを記述するかについて検討すること等に煩わされることなく、提示された質問に答えることだけに専念すればよいため、利用者のアイデア説明文章の作成に掛かる負担を軽減することができる。また利用者は技術的特徴部分質問文章に導かれて、第２回答情報を入力することになるため、直接的にアイデアの特徴を記述する場合と比較して唐突感を受けることがなく、円滑に回答することができる。
【００５６】
なお、アイデア説明文章作成機能１６は、次に説明するようにアイデアの技術的特徴を限定的に質問し、これに対する第２回答情報を利用者から取得することで、技術的特徴がより明確に表現されたアイデア説明文章を作成することもできる。
【００５７】
具体的には、利用者のアイデアを構成する構成要素の名前と、この構成要素ごとの技術的特徴を質問する文章を技術的特徴部分質問文章として利用者に提示する。これに対する第２回答情報として取得したアイデアの構成要素の名前と、技術的特徴を説明した説明文とを結合してアイデア構成要素説明情報を作成し、これを雛形文章に埋め込みアイデア説明文章を作成する。
【００５８】
ここで、アイデア構成要素説明情報とは、アイデアを構成する要素に分解し、各要素について説明することでアイデアの技術的特徴を表現する文章をいう。例えばアイデアを構成する部品や工程ごとに説明する文章である。このアイデア構成要素説明情報を雛形文章に埋め込むことで、アイデアは技術的特徴を有する各構成要素によって表現される。
【００５９】
なお、このアイデアの構成要素は複数あってもよく、その場合は技術的特徴部分質問文章として、構成要素の個数を質問し、構成要素ごとに名前や技術的特徴の説明文を第２回答情報として取得して複数のアイデア構成要素説明情報を作成する。
【００６０】
また、アイデア構成要素説明情報が雛形文章に埋め込まれる際には、雛形文章に含まれる第１結合語句に結合される。第一結合語句はアイデア構成要素説明情報と結合してアイデア説明文章を構成するために用いられる。
【００６１】
更に、アイデアの構成要素が２つ以上ある場合、アイデアの各構成要素は雛形文章に含まれる第２結合語句に結合される。第２結合語句は各アイデア構成要素説明情報を結合するために用いられる。なお、この場合、第２結合語句で結合された複数のアイデア構成要素説明情報の最後のアイデア構成要素説明情報には第１結合情報がさらに結合し、全体としてアイデア説明文章を作成する。
【００６２】
アイデア構成要素説明情報の例としては、アイデアのカテゴリが装置等の物に係る場合、構成要素の名前を「Ａ」、この技術的特徴を説明した文章を「Ｂである」とすると、「Ｂである」の後に構成要素の名前「Ａ」を結合して、「ＢであるＡ」というアイデア構成要素説明情報を挙げることができる。
【００６３】
一方、アイデアのカテゴリが方法に係る場合、構成要素の名前を「第ｎ工程」、この技術的特徴を説明した文章を「＊する工程である」とすると、「＊する工程である」の後に構成要素の名前「第ｎ工程」を結合して、「＊する工程である第ｎ工程」というアイデア構成要素説明情報を作成することができる（「ｎ」は工程の順番を表し、＊（アスタリスク）は工程の技術的特徴を説明した文章の具体的な内容を表す。）。
【００６４】
また、第１結合語句、及び第２結合語句を含む雛形文章の例としては、「〜『と』、〜『と』〈からなる〉」を挙げることができる。例示した雛形文章中の二重鍵括弧の「と」は第２結合語句を表しており、山括弧の「からなる」は第１結合語句を表している。また波線は埋め込み位置を表しており、この部分にアイデア構成要素説明情報が埋め込まれ、第２結合語句と結合し、更に最後の第１結合語句と結合することで、アイデア説明文章が作成される。
【００６５】
なお、アイデアが何であるかを明示するために、このアイデア説明文章の最後に、カテゴリ選定機能によりカテゴリが特定されたときの名詞を結合してもよい。例えば、「〜『と』、〜『と』〈からなる〉ことを特徴とする（Ｘ）」という文章を作成してもよい。この文章中（Ｘ）は、カテゴリが特定されたときの名詞を表している。
【００６６】
上述したように、アイデアの構成要素を明確にしたアイデア説明文章を作成するだけでなく、アイデア説明文章作成機能１６は、特に工夫した構成要素が強調されるようアイデア説明文章を作成することもできる。
【００６７】
具体的には、アイデアを構成する構成要素のうち工夫した対象の構成要素と、この構成要素に対してどのような工夫をしたかを質問する文章を技術的特徴部分質問文章として利用者に提示する。これに対する第２回答情報として取得した構成要素の名前と、工夫した部分を説明した説明文章とを結合してアイデア工夫構成要素説明情報を作成し、これを雛形文章に埋め込みアイデア説明文章を作成する。
【００６８】
ここで、アイデア工夫構成要素説明情報とは、アイデアのカテゴリが装置等の物に係る場合、アイデアの構成要素の名前と、その構成要素に対して工夫したことを表した文章を結合して構成され、アイデアの構成要素について工夫した部分を説明する文章をいう。
【００６９】
アイデア工夫構成要素説明情報の例としては、構成要素の名前を「Ｃ」、この構成要素について工夫したことを説明した文章を「形状を凹型にした」とすると、適当な助詞を介して「Ｃ」に「形状を凹型にした」を結合して、「Ｃは形状を凹型にした」というアイデア工夫構成要素説明情報を挙げることができる。
【００７０】
一方、アイデアのカテゴリが方法に係る場合、構成要素の名前を「第ｎ工程」、この構成要素について工夫したことを説明した文章を「Ｘ処理をＹ処理に置き換えた」とすると、適当な助詞を介して「第ｎ工程」に「Ｘ処理をＹ処理に置き換えた」を結合して、「第ｎ工程はＸ処理をＹ処理に置き換えた」というアイデア工夫構成要素説明情報を作成することができる。
【００７１】
第１結合語句、第２結合語句、アイデア構成要素説明情報、及びアイデア工夫構成要素説明情報を含む雛形文章の例としては、「〜『と』、〜『と』〈からなり〉……」を挙げることができる。例示した雛形文章中の二重鍵括弧の「と」は第２結合語句を、山括弧の「からなり」は第１結合語句を、波線はアイデア構成要素説明情報の埋め込み位置を表している。また、三点リーダはアイデア工夫構成要素説明情報の埋め込み位置を表しており、この埋め込み位置は、アイデア工夫構成要素説明情報が第１結合語句の次に結合するよう設定されている。
【００７２】
これらの埋め込み位置にアイデア構成要素説明情報及びアイデア工夫構成要素説明情報を埋め込みアイデア説明文章を作成することにより、アイデアは技術的特徴を有する各構成要素によって表現されると共に、構成要素に対して工夫したことを表す文章によっても表現される。
【００７３】
特に、アイデア工夫構成要素説明情報を雛形文章に埋め込むことで作成されるアイデア説明文章は、従来のアイデアに対して改良を行ったアイデアを表現するのに適している。なぜならば、アイデア説明文章のうち、アイデア構成要素説明情報に記述されたことは従来のアイデアの構成要素を表し、アイデア工夫構成要素説明情報に記述されたことは従来のアイデアに対して改良を行った部分を表しているとみなすことができるからである。逆にアイデア構成要素説明情報のみを埋め込むことで作成されるアイデア説明文章は、新規なアイデアの表現に適している。
【００７４】
以上に説明したように、アイデア説明文章作成プログラムによれば、利用者はアイデアの技術的な特徴部分を問うための一連の質問に順次回答することで、アイデアを説明する文章であるアイデア説明文章を得ることができる。これにより、利用者は例えばアイデア説明文章を論理的に構成すること、アイデアの本質を特定するためにどのようなことを記述するかについて検討すること等に煩わされることなく、提示された質問に答えることだけに専念すればよいため、利用者のアイデア説明文章の作成に掛かる負担を軽減することができる。
【００７５】
また利用者は技術的特徴部分質問文章に導かれて各種情報を入力することになるため、直接的にアイデアの特徴を記述する場合と比較して唐突感を受けることがなく、円滑に回答することができる。
【００７６】
次に、アイデア説明文章作成システム１について説明する。アイデア説明文章作成システム１は、アイデア説明文作成プログラムをインストールしたアイデア説明文章作成サーバ１０と、ネットワーク２を経由してアイデア説明文章作成サーバ１０と通信可能に接続された外部端末２０とを備えている。
【００７７】
アイデア説明文章作成サーバ１０は、例えば、ＣＰＵ、ＲＯＭ、ハードディスク、ＲＡＭ、キーボード・マウス等の入力装置及びディスプレイ等の出力装置（何れも図示せず。）を主なハードウェアとして具備すると共に、これらのハードウェアを機能させるオペレーティングシステム（ＯＳ）として、例えばマイクロソフト社製Ｗｉｎｄｏｗｓ（登録商標）を具備し、このＯＳ上でアイデア説明文章作成プログラムが実行される。なお、アイデア説明文章作成プログラムは、このＯＳ上で起動するものではなく、ＢＩＯＳ等を介してアイデア説明文章作成サーバ１０のハードウェア上で直接機能するものであってもよい。
【００７８】
また、アイデア説明文章作成サーバ１０は、埋め込み用質問文章、カテゴリ分類基準、技術的特徴部分文章群、及び雛形文章を格納し管理するデータベース１１を備えている。データベース１１は、アイデア説明文作成プログラムの各機能の要求に応じて格納された埋め込み用質問文章等を読出し、又は検索する機能が備わっている。また、必要に応じて埋め込み用質問文章等は追加、更新、又は削除する機能も備わっている。なお、埋め込み用質問文章等を格納する記憶媒体としてはデータベース１１に限定されず、ハードディスクやＣＤ−ＲＯＭ等の記憶媒体に格納されていてもよい。
【００７９】
外部端末２０は、ＣＰＵ、ＲＯＭ、ハードディスク、ＲＡＭ（何れも図示せず。）、入力手段２１であるキーボード・マウス、出力手段２４であるディスプレイ、アイデア説明文章作成サーバ１０との間で情報を送信する送信手段２２、この情報を受信する受信手段２３及びこれらを機能させるＯＳを具備している。
【００８０】
送信手段２２は、入力手段２１を介して取得したアイデア文章、第１回答情報、及び第２回答情報をアイデア説明文章作成サーバ１０に送信する。
【００８１】
受信手段２３は、アイデア説明文章作成サーバ１０のアイデア説明文章作成プログラムにより作成された質問文章、技術的特徴部分質問文章、及びアイデア説明文章を受信する。受信手段２３により取得した質問文章等は出力手段２４を介して利用者に提示される。
【００８２】
ここで、上述したアイデア説明文章作成システムにおいて、アイデア説明文章が作成される手順について説明する。図３は、実施形態１に係るアイデア説明文章作成システムの処理手順を示す図である。
【００８３】
図示するように、アイデアに関する説明文であるアイデア文章が外部端末２０の入力手段２１を介して利用者により入力され、このアイデア文章が送信手段２２によりアイデア説明文章作成サーバ１０に送信される（Ｓ１）。
【００８４】
アイデア説明文章作成サーバ１０は、アイデア文章取得機能１２により送信されたアイデア文章を取得し、名詞抽出機能１３によりこのアイデア文章を形態素解析して名詞を抽出する名詞抽出処理を行う（Ｓ２）。
【００８５】
次に、質問文章作成機能１４により、データベース１１から埋め込み用質問文章を読み出し、読み出した埋め込み用質問文章に抽出した名詞を埋め込んで質問文章を作成し、利用者に提示する質問文章作成処理を行う（Ｓ３）。
【００８６】
外部端末２０は受信手段２３により受信した質問文書を出力手段２４に出力して利用者に提示する（Ｓ４）。質問文章に対する第１回答情報が外部端末２０の入力手段２１を介して利用者により入力され、この第１回答情報が送信手段２２によりアイデア説明文章作成サーバ１０に送信される（Ｓ５）。
【００８７】
アイデア説明文章作成サーバ１０は、カテゴリ選定機能１５により質問文章への回答である第１回答情報を取得し、第１回答情報とカテゴリ分類基準とから利用者のアイデアの属するカテゴリを選定するカテゴリ選定処理を行う（Ｓ６）。この処理の結果、アイデアの属するカテゴリが選定される。
【００８８】
次に、アイデア説明文章作成機能１６により、技術的特徴部分質問文章群からカテゴリ選定処理により選定されたカテゴリと対応する技術的特徴部分質問文章が抽出され利用者に送信される（Ｓ７）。
【００８９】
外部端末２０は受信手段２３により受信した技術的特徴部分質問文章を出力手段２４に出力して利用者に提示する（Ｓ８）。技術的特徴部分質問文章への回答である第２回答情報が外部端末２０の入力手段２１を介して利用者により入力され、この第２回答情報がアイデア説明文章作成サーバ１０に送信される（Ｓ９）。
【００９０】
最後に、アイデア説明文章作成サーバ１０は、受信した第２回答情報を雛形文章に埋め込んで、アイデア説明文章を作成し外部端末２０に送信する（Ｓ１０）。外部端末２０は、受信したこのアイデア説明文章を出力手段２４に表示して利用者に提示する（Ｓ１１）。
【００９１】
以下、利用者が、上述したアイデア説明文章作成システム１を用いて「自転車に関するアイデア」を説明するアイデア説明文章を作成する場合について具体的に説明する。
【００９２】
最初に、利用者が作成するアイデアの説明文章であるアイデア文章を取得する。ここで、利用者は「水滴が付着しても錆を生じにくくした自転車」に関するアイデアを有しているとする。
【００９３】
外部端末２０は、出力手段２４にアイデア文章を取得するための入力欄を表示し、入力手段２１を介してこの入力欄に入力されたアイデア文章を取得し、アイデア説明文章作成サーバ１０に送信する（Ｓ１）。このアイデア文章の入力は、例えばＧＵＩ（Ｇｒａｐｈｉｃａｌ  Ｕｓｅｒ  Ｉｎｔｅｒｆａｃｅ）を介して行ってもよいし、ファイルに記載したアイデア文章を読取ることにより行ってもよい。
【００９４】
ここでは、アイデア文章として「自転車のフレームの表面を撥水加工した自転車」を取得したとする。
【００９５】
次に、この取得したアイデア文章について名詞抽出処理を行う（Ｓ２）。この処理の結果、上述のアイデア文章は「自転車，の，フレーム，の，表面，を，撥水，加工，した，自転車」という形態素に分割され、名詞である形態素として「自転車，フレーム，表面，撥水，加工」を得ることができる。
【００９６】
次に、埋め込み用質問文章に抽出した名詞を埋め込み質問文章を作成する質問文章作成処理を行う（Ｓ３）。
【００９７】
具体的には、例えば“あなたの考えたアイデアは、−そのものについてですか？”のごとく埋め込み用質問文章を予め設定し、この質問に対する回答形式を「Ｙｅｓ」又は「Ｎｏ」の２つの選択肢の何れかを回答できるような質問内容にする。
【００９８】
なお、この埋め込み用質問文章中の「−（ハイフン）」は名詞の埋め込み位置を表している。抽出した名詞をこの埋め込み位置の「−」に置き換える文字列処理を行うことで、例えば“あなたの考えたアイデアは「フレーム」そのものについてですか？”という質問文章を得ることができる。表１に、この埋め込み用質問文章を例示する。
【００９９】
【表１】
2009075894.tif 000003
【０１００】
「番号」は各埋め込み用質問文章に割り振られた一意な識別子である。便宜上、この番号を用いて、表１の個々の埋め込み用質問文章を“埋め込み用質問文章「１」”のごとく表記する。
【０１０１】
また、表２に、表１に示す埋め込み用質問文章に名詞である「フレーム」を埋め込んだ質問文章を例示する。
【０１０２】
【表２】
2009075894.tif 000004
【０１０３】
「番号」は各質問文章に割り振られた一意な識別子である。便宜上、この番号を用いて、表２の個々の質問文章を“質問文章「１」”のごとく表記する。
【０１０４】
アイデア説明文章作成サーバ１０は、上述のように作成された質問文章を外部端末２０へ送信し、外部端末２０は出力手段２４にこれを表示する（Ｓ４）。なお、抽出された名詞が複数ある場合は、各名詞について質問文章を作成して、外部端末２０に送信する。
【０１０５】
利用者は表示された質問文章「１乃至３」に対してそれぞれ回答し、外部端末２０により回答した結果が第１回答情報としてアイデア説明文章作成サーバ１０に送信される（Ｓ５）。
【０１０６】
アイデア説明文章作成サーバ１０は、複数の質問文章「１乃至３」に対する回答として取得した第１回答情報である選択パターンに基づいて、カテゴリ分類基準からアイデアの属するカテゴリを選定する（Ｓ６）。表３に、カテゴリ分類基準を例示する。
【０１０７】
【表３】
2009075894.tif 000005
【０１０８】
「番号」は各選択パターンに割り振られた一意な識別子である。便宜上、この識別子を用いて、表２の個々の選択パターンを選択パターン「１」のごとく表記する。また、表３中の「−」は第１回答情報が「Ｙｅｓ」又は「Ｎｏ」の何れかのデータであること表している。
【０１０９】
例えば選択パターン「１」は、各質問文章「１乃至３」に対し「Ｙｅｓ」，「Ｙｅｓ」，「−（Ｙｅｓ又はＮｏの何れか）」と回答したことを表している。
【０１１０】
これらの選択パターン「１乃至３」には、「装置」，「方法」，「分類不能」というカテゴリが予め設定されている。これにより、例えば利用者の質問文章に対して回答した結果が選択パターン「１」と合致する場合は、利用者のアイデアが属するカテゴリは「装置」と選定されることになる。
【０１１１】
このカテゴリ選定処理は、抽出した名詞の全てについて行う。すなわち、名詞抽出処理により抽出した「自転車，フレーム，表面，撥水，加工」の名詞のそれぞれについて、埋め込み用質問文章に埋め込み質問文章を作成する。表４に各名詞について作成した質問文章とこれに対する利用者が回答として入力した選択肢を例示する。
【０１１２】
【表４】
2009075894.tif 000006
【０１１３】
表４に例示したように、各名詞について作成した質問文章「１乃至３」に対する選択肢の選択パターンから名詞に表現されるアイデアがどのカテゴリに属するかを選定する。この結果、例えば「自転車」の場合は、質問文書「１」に「Ｙｅｓ」，質問文書「２」に「Ｙｅｓ」，質問文書「３」に「Ｎｏ」という選択パターンであるので、表３のカテゴリ分類基準の選択パターン番号「１」に該当し、名詞「自転車」のカテゴリは「装置」とされる。
【０１１４】
一方、他の名詞についても、同様にカテゴリの選定を行う。この結果、「フレーム」，「表面」，「撥水」，「加工」は全て質問文書「１」に「Ｎｏ」，質問文書「２」に「Ｎｏ」，質問文書「３」に「Ｎｏ」という選択パターンであるので、表３のカテゴリ分類基準の選択パターン番号「３」に該当し、これらの各名詞のカテゴリは「分類不能」とされる。
【０１１５】
この結果、利用者のアイデアはカテゴリ「装置」に分類される自転車に関するアイデアであることを特定することができる。
【０１１６】
なお、質問文章「１乃至３」の提示方法は、同時に全ての質問文章を提示してもよいし、質問文章「１」を最初に提示し、この第１回答情報が「Ｙｅｓ」であるか「Ｎｏ」であるかに応じて質問文章「２」又は質問文章「３」を逐次提示するようにしてもよい。
【０１１７】
以降、分類不能とされた「フレーム，表面，撥水，加工」を処理対象から除外し、「装置」に分類された「自転車」について処理を行う。
【０１１８】
次に、選定したカテゴリに対応する技術的特徴部分質問文章を抽出し、利用者に提示する（Ｓ７）。表５に、カテゴリ「装置」及び「方法」に設定された技術的特徴部分質問文章群を例示する。
【０１１９】
【表５】
2009075894.tif 000007
【０１２０】
「番号」は各技術的特徴部分質問文章に割り振られた一意な識別子である。便宜上、この識別子を用いて、表５の個々の技術的特徴部分質問文章を“技術的特徴部分質問文章「１１」”のごとく表記する。
【０１２１】
カテゴリ選定機能１５は、カテゴリが「装置」である場合は、表５に示した技術的特長部分質問文章群から装置に関する技術的特徴部分質問文章を外部端末２０に送信する。
【０１２２】
なお、技術的特徴部分質問文章「１０−１」は、アイデアを構成する要素がいくつあるかを質問し、技術的特徴部分質問文章「１０−２」は、アイデアを構成する構成要素の名前と、その構成要素がどのような技術的特徴を持つのかを質問する文章の例である。
【０１２３】
一方、技術的特徴部分質問文章「２０−１乃至４」は、アイデアの構成要素のうち工夫した構成要素がどれであるかを質問すると共に、どのように工夫したかを問う質問の例である。工夫した点を直接質問しても利用者は戸惑うことも考えられるため、「何かを付加したか」という質問をすることで、利用者が工夫した点を回答し易いように、具体的な質問内容となっている。
【０１２４】
同様に技術的特徴部分質問文章「２１−１乃至４」は、「何かを加工したか」という観点で具体的に質問する内容となっている。なお、工夫の内容を具体的に質問するものとしては、「位置を変更したか」，「置き換えたか」，「削除したか」等を挙げることができる。
【０１２５】
図４は、装置に関する技術的特徴部分質問文章に対する第２回答情報の入力画面を例示する図である。図４に例示するように、外部端末２０は、アイデア説明文章作成サーバ１０より受信した技術的特徴部分質問文章を出力手段２４に表示する。
【０１２６】
図４には、入力画面４０に表示された技術的特徴部分質問文章５０と，構成要素の名前の構成要素入力欄４１と、この構成要素の説明文の構成要素説明文入力欄４２とが提示されている。更に、構成要素入力欄４１の右側には「は」が、構成要素説明文入力欄４２の右側には「もの」などの入力補助文字４３が表示されている。更に、工夫した対象の構成要素を選択する構成要素選択欄４４や、どのように工夫したかを記述する工夫事項入力欄４５が表示されている。
【０１２７】
利用者はこれらの入力欄に適宜文章を入力する。外部端末２０は、入力された各文章を第２回答情報としてアイデア説明文章作成サーバ１０に送信する（Ｓ９）。
【０１２８】
アイデア説明文章作成サーバ１０は、外部端末２０から第２回答情報を取得し、雛形文章に埋め込んでアイデア説明文章を作成する（Ｓ１０）。ここで、表６に技術的特徴部分質問文章に対して回答された第２回答情報を例示する。
【０１２９】
【表６】
2009075894.tif 000008
【０１３０】
「番号」は各第２回答情報に割り振られた一意な識別子である。便宜上、この識別子を用いて、表６の個々の第２回答情報を第２回答情報「５０」のごとく表記する。
【０１３１】
第２回答情報「５０」は、アイデアの構成要素が７つあることを示しており、第２回答情報「５１乃至５７」は、各構成要素の名前（ハイフンの前）と、その技術的特徴を説明する文章（ハイフンの後）を表している。
【０１３２】
これらの回答からは、技術的特徴を説明する文章の後に構成要素の名前を結合することにより、アイデア構成要素説明情報を作成することができる。例えば、第２回答情報「５１」からは「自転車本体を構成するフレーム」というアイデア構成要素説明情報を作成することができる。表７に第２回答情報「５１乃至５７」から作成できるアイデア構成要素説明情報を示す。
【０１３３】
【表７】
2009075894.tif 000009
【０１３４】
「番号」は各アイデア構成要素説明情報に割り振られた一意な識別子である。便宜上、この識別子を用いて、表７の個々のアイデア構成要素説明情報をアイデア構成要素説明情報「７０」のごとく表記する。
【０１３５】
また、第２回答情報「５８」は、利用者が工夫した対象である構成要素を表しており、第２回答情報「５９乃至６１」は、どのように工夫したかを説明する文章が表されている。
【０１３６】
これらの回答からは、工夫した対象の構成要素の名前と、工夫した部分を説明する文章とを結合することにより、アイデア工夫構成要素説明情報を作成することができる。例えば、第２回答情報「５９乃至６１」からは、「『水が付着するのを防止する』ため『フレームの表面を撥水加工』し、『汚れにくくする』ことができる」というアイデア工夫構成要素説明情報を作成することができる。二重鍵括弧内は第２回答情報であり、それ以外の語句は入力補助文字４３と対応する文字である。
【０１３７】
最後に、アイデア説明文章作成機能１６は、これらのアイデア構成要素説明情報、及びアイデア工夫構成要素説明情報を雛形文章に埋め込みアイデア説明文章を作成する。アイデア構成要素説明情報が構成要素の数（７個）が複数あり、且つアイデア工夫構成要素説明情報もある場合は、次のような雛形文章を用いる。
【０１３８】
「〜『と』、〜『と』、〜『と』、〜『と』、〜『と』、〜『と』、〜『と』〈からなり〉……」
すなわち、各アイデア構成要素説明情報は第２結合語句『と』と結合して波線部分に埋め込まれ、最後のアイデア構成要素説明情報は第１結合語句である〈からなり〉と結合する。更に、アイデア工夫構成要素説明情報は、第１結合語句の後に結合して三点リーダの部分に埋め込まれる。
【０１３９】
この処理の結果、次のようなアイデア説明文が作成される。
“「自転車本体を構成するフレーム」『と』、
「進行方向を制御するハンドル」『と』、
「運転者の座席となるサドル」『と』、
「ペダルの回転動力がチェーンを介して伝達されるタイヤ」『と』、
「タイヤに伝達するための回転動力を発生させるペダル」『と』、
「タイヤとペダルとを連結してタイヤにペダルの回転動力を伝達するチェーン」『と』〈からなり〉「水が付着するのを防止する」ために、「フレームの表面を撥水加工」し、「汚れにくくする」ことができる”。またこのアイデア説明文の末尾に「ことを特徴とする自転車」を更に結合してもよい。
【０１４０】
なお、技術的特徴部分質問文章としてアイデアの構成要素毎にその要否を問う質問文を利用者に提示すると共に、これに対する第２回答情報を取得し、不要と回答されたアイデアの構成要素を除外した上でアイデア説明文章を作成してもよい。
【０１４１】
例えば、“「ハンドル」はアイデアの実現に必須の構成要素ですか？”という技術的特徴部分質問文章を利用者に提示し、これに対する第２回答情報として「Ｎｏ」を取得した場合は、上述のアイデア説明文章から “「進行方向を制御するハンドル」と、”を削除したアイデア説明文章を作成する。
【０１４２】
このように、アイデアの各構成要素はアイデアの実現に必要であるか否かについて利用者に再考を促すことで、不要である構成要素を含まないアイデア説明文章を作成することができる。この結果、アイデアの特徴部分がより明確になるようアイデア説明文章を洗練化することが可能となる。
【０１４３】
以上に説明したように、利用者は、アイデア説明文章作成システム１を用いることにより、アイデアの特徴的な部分を問うための一連の質問に順次回答することで、アイデア説明文章を得ることができる。これにより、特に請求項等の作成に不慣れな利用者は、直接的に構成要件等を入力する場合と比較して唐突感を受けず、またどのような事項を記載すべきかに煩わされないため、文書の作成に掛かる負担を軽減することができる。
【０１４４】
更に、アイデアの構成要素やこの構成要素に対して工夫した点をより詳細に質問して、これに対する回答を用いることにより、アイデアの技術的特徴がより明確に表現されたアイデア説明文章を作成することができる。
【０１４５】
〈実施形態２〉
実施形態２では、アイデア説明文章作成システム１００が実施形態１と同様にアイデア説明文章を作成すると共に、アイデアの構成要素から中心又は土台となる主体構成要素を選定し、この主体構成要素と他の構成要素との関係を表す構成要素関係図を作成する場合について説明する。なお、実施形態２においては、実施形態１と同様に自転車に関するアイデアを用いて説明をする。
【０１４６】
図５は、実施形態２に係るアイデア説明文章作成プログラムをインストールしたコンピュータを備えるアイデア説明文章作成システムの機能ブロック図である。実施形態２のアイデア説明文章作成システム１００の構成のうち、実施形態１に説明したアイデア説明文章作成システム１と同一の符号を付したものについての説明は省略する。
【０１４７】
アイデア説明文章作成システム１に対するアイデア説明文章作成システム１００の相違点は、アイデア説明文章作成サーバ１０にインストールされたアイデア説明文章作成プログラムが構成要素選定機能１７と、構成要素関係図作成機能１８とを更に備え、アイデア説明文章作成機能１６が構成要素関係図作成機能１８により作成された構成要素関係図を利用してアイデア説明文章を作成することにある。
【０１４８】
ここで、実施形態２に係るアイデア説明文章作成プログラムの機能のうち、実施形態１のアイデア説明文章作成プログラムから追加された機能である構成要素選定機能１７、及び構成要素関係図作成機能１８について説明する。
【０１４９】
構成要素選定機能１７は、第２回答情報として取得したアイデアの構成要素のうち、主体構成要素を利用者により選定する機能である。ここで主体構成要素とは、アイデアの構成要素のうち中心又は土台となるものをいう。この主体構成要素は利用者により工夫された構成要素である必要はなく、例えばアイデアが装置に係るものであるならば、他の全ての構成要素が設けられているような構成要素であることが望ましい。
【０１５０】
構成要素関係図作成機能１８は、主体構成要素と他の構成要素とを構成要素結合線で結んで構成要素関係図を作成する。ここで構成要素結合線とは、アイデアが装置に係るものであるならば、その両端の構成要素が接触・結合・支持などの物理的な位置関係を有していることを表す。一方、アイデアが方法に係るものであるならば、方法を構成する各手順の順序関係を表す。
【０１５１】
構成要素関係図とは、各構成要素と構成要素結合線とからなる図である。図６は、実施形態２に係る構成要素関係図を自転車について作成した例を示す図である。図６には、自転車の複数の構成要素２００乃至２０１が示されている。このうち、構成要素２００は利用者により選定された主体構成要素である。また主体構成要素２００と他の構成要素２０１との間には、構成要素結合線２０２が示されており、各構成要素間の位置関係を表している。例えば、「フレーム」には「カゴ」が設けられていることが表されている。
【０１５２】
なお、構成要素関係図作成機能１８により作成された構成要素関係図は、利用者により編集可能に構成してもよい。例えば、構成要素を削除する機能を設けてもよい。また、構成要素結合線を追加・削除・編集する機能を設けてもよい。例えば構成要素結合線の主体構成要素に接続している一端を他の構成要素に接続する機能である。これにより、より正確なアイデアの構成を表す構成要素関係図を作成することができる。
【０１５３】
また、アイデア説明文章作成機能１６は構成要素関係図に基づいて、アイデア構成要素説明情報の結合順序の並び替え処理を行う。具体的には、主体構成要素に対応するアイデア構成要素説明情報を先頭として、このアイデア構成要素説明情報の末尾に他の構成要素に対応するアイデア構成要素説明情報を結合する。以下、順次残りの他の構成要素に対応するアイデア構成要素説明情報を結合する。最後に、結合したこれらのアイデア構成要素説明情報を雛形文章に埋め込むことで、アイデア説明文章を作成する。
【０１５４】
ここで、主体構成要素に対応するアイデア構成要素説明情報とは、主体構成要素に選定された構成要素の名前と、その技術的特徴を説明する文章とを結合させて作成したアイデア構成要素説明情報である。
【０１５５】
以上に説明したように、アイデア説明文章は、最初に主体構成要素に対応するアイデア構成要素説明情報があり、順次他の構成要素に対応するアイデア構成要素説明情報が続くよう構成される。このような構成で作成されたアイデア説明文章は、利用者が最初に主体構成要素を読むことによりアイデアの全体像を把握し、順次他の構成要素を読むにつれてアイデアの細部を理解することを可能にする。
【０１５６】
図７は、実施形態２に係るアイデア説明文章作成システムの処理手順の概略を示す図である。この図を用いて、構成要素関係図を作成し、この構成要素関係図を利用してアイデア説明文章を作成する処理に関して説明をする。実施形態２においては、実施形態１の図３のＳ１〜Ｓ８までは同様の処理を行うため、詳細な説明は省略する。また図７においては、図３のＳ１〜Ｓ６と同じ処理を行う部分に関しては図示していない。
【０１５７】
まず、アイデア説明文章作成サーバ１０は、実施形態１と同様に名詞抽出処理，質問文章作成処理，カテゴリ選定処理（ここまで、何れも図示せず），技術的特徴部分質問文章抽出処理（Ｓ７）を行う。
【０１５８】
次に、構成要素選定機能１７が主体となって、第２回答情報として取得したアイデアの構成要素の内、中心又は土台となるものを利用者に選定させる（Ｓ２０）。
【０１５９】
次に、構成要素関係図作成機能が主体となって、主体構成要素と他の構成要素との間に構成要素結合線を結んで構成要素関係図を作成し（Ｓ２１）、外部端末２０に送信する（Ｓ２２）。この結果、外部端末２０では、第２回答情報として入力したアイデアの構成要素が構成要素関係図として出力手段２４に表示される。
【０１６０】
最後に、構成要素関係図に基づいて、アイデア構成要素説明情報の結合順序の並び替え処理を行い（Ｓ２３）、この結果並び替えられたアイデア構成要素説明情報を雛形文章に埋め込んでアイデア説明文章作成して（Ｓ１０）、外部端末２０に送信し、外部端末２０は出力手段２４にアイデア説明文章を表示する（Ｓ１１）。
【０１６１】
以上のように、構成要素関係図を作成することにより、図６に示すようにアイデアを構成する各構成要素の関連を可視化することができる。これにより利用者は各アイデア構成要素の関連を容易に把握することが可能となる。また、この構成要素関係図に基づいて主体構成要素に対応するアイデア構成要素説明情報が先頭に来るようアイデア説明文章を作成することで、アイデアの構成を把握し易いアイデアの説明文章を作成することが可能になる。
【０１６２】
〈他の実施形態〉
上述した実施形態１乃至２では、アイデア説明文章作成プログラム及びアイデア説明文章作成システムは、利用者に対して質問文章や技術的特徴部分質問文章を提示する際に、これらの文章に関する説明文や例文を提示してもよい。これにより、利用者は質問文章等に対する理解を深めることができ、質問文章等に対してより適切に回答することが可能となる。
【０１６３】
具体的には、アイデア説明文章作成プログラムには、利用者に対して質問文章を提示すると共に質問文章の回答として予め設定された各選択肢についての説明文を提示する選択肢説明文提示機能や、利用者に対して技術的特徴部分質問文章を提示すると共に技術的特徴部分質問文章への回答として適した例文を例示する例文提示機能を備える。この各選択肢についての説明文や技術的特徴部分質問文章への例文はデータベース１１に予め格納しておき、これらの説明文や例文を利用者に提示する際にデータベース１１から抽出して、利用者に提示する。
【０１６４】
質問文章に予め設定された選択肢についての説明文の例としては、質問文章「Ａは『物』ですか？」、選択肢「はい」「いいえ」に対する説明文「Ａが装置やシステム、プログラムに該当する場合は『はい』をその他の場合は『いいえ』を選択してください。」などを挙げることができる。
【０１６５】
一方、技術的特徴部分質問文章への回答として適した例文としては、技術的特徴部分質問文章「どのように加工しましたか？」に対する例文「構成要素Ａの断面の形状を六角形にした。」などを挙げることができる。
【０１６６】
また、質問文章は利用者による設定に応じて表現を変え、利用者に提示するようにしてもよい。この場合、同一の趣旨を持つと共に異なる表現で作成された複数の質問文章から、利用者の設定に応じて一つの質問文章を抽出して、これを利用者に提示する。同様に、技術的特徴部分質問文章についても、利用者の設定に応じて表現を変え、利用者に提示するようにしてもよい。この場合、同一の趣旨を持つと共に異なる表現で作成された複数の技術的特徴部分質問文章から、利用者の設定に応じて一つの技術的特徴部分質問文章を抽出して、これを利用者に提示する。
【０１６７】
例えば、「初心者向け表現」と「習熟者向け表現」の二つの表現の種別を設け、利用者により何れか一つを選択可能にする。一方、一つの技術的特徴部分質問文章につき、「初心者向け表現」として平易な表現を用い、「習熟者向け表現」として専門用語を用いるなどして、二種類の表現の異なる技術的特徴部分質問文章を予め作成する。
【０１６８】
以降、利用者に技術的特徴部分質問文章を提示する際には、設定された表現の種別に応じた技術的特徴部分質問文章を提示する。
【０１６９】
例えば始めてアイデア説明文章を作成するような初心者に対しては、平易な表現で記述された質問文章や技術的特徴部分質問文章を提示することで、初心者は質問文章等の内容を把握し易くなり、第１回答情報又は第２回答情報を円滑に入力することができる。またアイデア説明文章の作成に習熟した利用者に対しては、専門用語を含めて作成した質問文章等を提示することで、この利用者は質問文章等の内容を的確に理解することが可能となり、第１回答情報又は第２回答情報を適切に入力することができる。
【産業上の利用可能性】
【０１７０】
本発明は、アイデアを文書として表現する場合に関連する産業分野で利用することができる。
【図面の簡単な説明】
【０１７１】
【図１】実施形態１に係るアイデア説明文章作成プログラムをインストールしたコンピュータを備えるアイデア説明文章作成システムの機能ブロック図である。
【図２】複数の選択肢の選択パターンに基づいてカテゴリを選定する場合の質問文章と選択パターンを例示する図である。
【図３】実施形態１に係るアイデア説明文章作成システムの処理手順を示す図である。
【図４】装置に関する技術的特徴部分質問文章に対する第２回答情報の入力画面を例示する図である。
【図５】実施形態２に係るアイデア説明文章作成プログラムをインストールしたコンピュータを備えるアイデア説明文章作成システムの機能ブロック図である。
【図６】実施形態２に係る構成要素関係図を自転車について作成した例を示す図である。
【図７】実施形態２に係るアイデア説明文章作成システムの処理手順の概略を示す図である。
【符号の説明】
【０１７２】
１，１００  アイデア説明文章作成システム
２  ネットワーク
１０  アイデア説明文章作成サーバ
１１  データベース
１２  アイデア文章取得機能
１３  名詞抽出機能
１４  質問文章作成機能
１５  カテゴリ選定機能
１６  アイデア説明文章作成機能
１７  構成要素選定機能
１８  構成要素関係図作成機能
２０  外部端末
２１  入力手段
２２  送信手段
２３  受信手段
２４  出力手段
４０  入力画面
４１  構成要素入力欄
４２  構成要素説明文入力欄
４３  入力補助文字
４４  構成要素選択欄
４５  工夫事項入力欄
５０  技術的特徴部分質問文章
【図１】
2009075894.tif 000010
【図２】
2009075894.tif 000011
【図３】
2009075894.tif 000012
【図４】
2009075894.tif 000013
【図５】
2009075894.tif 000014
【図６】
2009075894.tif 000015
【図７】
2009075894.tif 000016